(57)【要約】【課題】収容された竹刀、木刀の各々が勝手に動き易い。【解決手段】ケース１における一対の表裏面部材２、2aの一方の内側に竹刀Ｂ、木刀Ｗの差込部４、4a…を設け、該差込部４、4a…はケース１の長手方向に長いものとすることで、収容状態の竹刀Ｂ、木刀Ｗを位置決めすることによって、収容状態の竹刀Ｂ、木刀Ｗが勝手に動かない。【選択図】図５
2005143565.tif 000002
【特許請求の範囲】
【請求項１】
軟質シート素材からなるケースにおける一対の表裏面部材の一方の内側に竹刀、木刀の
差込部を複数個設け、該差込部はケースの長手方向に長いものとし、ケースの上部に、フ
ァスナーで開閉自在とした鰐口状の出入口部を形成したことを特徴とする竹刀・木刀用ケ
ース。
【請求項２】
一対の表裏面部材の一方の内側に重ねて一緒に縫着した内貼シートの内側面に差込部を
設けたことを特徴とする請求項１記載の竹刀・木刀用ケース。
【請求項３】
ケースの幅を下端側へ序々に狭くしたことを特徴とする請求項１又は２記載の竹刀・木
刀用ケース。
【請求項４】
差込部を、軟質な波形シート材を表裏面部材の一方側へ縫着して形成したことを特徴と
する請求項１、２又は３記載の竹刀・木刀用ケース。
【発明の詳細な説明】
【技術分野】
【０００１】
本発明は、竹刀や木刀を複数本並べて収容する様にしたケースに関する。
【背景技術】
【０００２】
従来、竹刀や木刀を複数本収容するケースは多々有り、上方が開閉自在な縦長状のケー
ス（丸形及び角形）があり、布、革（合成又は天然）、合繊繊維シート等で構成されたソ
フトタイプのものが主流である。
【０００３】
研究開発段階や出願段階で先行技術調査を行っておらず、記載すべき先行技術文献を知
りません。
【発明の開示】
【発明が解決しようとする課題】
【０００４】
しかし、上記従来技術には、下記の通り解決せねばならない課題があった。
（１）縦長筒状のケース内に竹刀及び木刀、用途別に練習用、試合用、昇段試験用のもの
が区分けされずに単に差し込んで収容されているだけであり、而もケースを開けたとして
も柄の先端しか見えず、目的のものを取り出すには少し引き抜いて確認せねばならない。
（２）収容された竹刀、木刀の本数が少ない場合、各々が勝手に動き易い状態で、特に持
ち運びの際に動くと重心がずれて肩からずり落ち易い。
【課題を解決するための手段】
【０００５】
本発明は、上記従来技術に基づく、上記（１）、（２）の課題に鑑み、軟質シート素材
からなるケースの上部に、ファスナーで開閉自在とした鰐口状の出入口部を形成して、該
出入口部を大きく開口可能にすることによって、必要なものを目視確認して確実に取り出
せる様にして、上記（１）の課題を解決し、又ケースにおける一対の表裏面部材の一方の
内側に竹刀、木刀の差込部を設け、該差込部はケースの長手方向に長いものとすることで
、収容状態の竹刀、木刀を位置決めすることによって、収容状態の竹刀、木刀が勝手に動
かない様にして、上記（２）の課題を解決する。
【発明の効果】
【０００６】
要するに本発明は、軟質シート素材からなるケースにおける一対の表裏面部材の一方の
内側に竹刀、木刀の差込部を複数個設けたので、収容状態の竹刀及び木刀が位置決めされ
るため、持ち運び時等に各々が勝手に動かない様にすることが出来、又差込部はケースの
長手方向に長いものとしたので、位置決めされた竹刀及び木刀の動きを更に抑止すること
が出来、又ケースの上部に、ファスナーで開閉自在とした鰐口状の出入口部を形成したの
で、出入口部を大きく開口出来るため、必要なものを目視確認して確実に取り出すことが
出来る。
又、一対の表裏面部材の一方の内側に重ねて一緒に縫着した内貼シートの内側面に差込
部を設けたので、収容状態の竹刀及び木刀が縦並び状態となる様に持ち運んでも、内貼シ
ートで吊り下げられた状態になるため、表裏面部材側には負担が掛からず、収容状態にお
いても皺等が寄らない様にすることが出来る。
又、なるべくケースをコンパクトに仕上げたいことから、ケースの幅を下端側へ序々に
狭くしたので、両側の差込部に竹刀を差し込むと斜めに収容されて、竹刀の柄間の幅が拡
がるため、鍔を付けたままの木刀を差し込み易くすることが出来る。
又、差込部を軟質な波形シート材で形成したので、両側の差込部を斜めに形成しなくて
も、差込部自体が変形して斜め状態に差し込むことが出来るため、鍔を付けたままの木刀
を中央に差し込んで両側に竹刀を簡単に差し込むことが出来る等その実用的効果甚だ大で
ある。
【発明を実施するための最良の形態】
【０００７】
以下、本発明の実施の形態を図面に基づき説明する。
竹刀Ｂや木刀Ｗを複数本並べて収容可能な縦長状のケース１にあっては、布、革、合成
繊維シート等の軟質シート素材を適宜形状に裁断し製縫して形成されたもので、かかるケ
ース１における一対の表裏面部材２、2aの一方に内貼シート３を重ねて一緒に縫着し、該
内貼シート３の内側面に竹刀Ｂ、木刀Ｗの差込部４、4a…を設けている。又、ケース１の
幅は上部が広く、下端側へ序々に狭くする様にしている。
差込部４、4a…は、ケース１の長手方向に長く、軟質な波形シート材５の両側部及び谷
部を内貼シート３に縫着することで区割形成している。
ケース１の上部に、ファスナー６で開閉自在とした鰐口状の出入口部７を形成している
。
又、裏面部材2aに肩掛けベルト８を取り付け、又ケース１の側部に把手部（図示せず）
を設けても良い。
又、ケース１内における裏面部材2aの上部に、主に鍔を入れるためのポケット９を設け
ている。
尚、図面上、差込部４、4a…は３個形成されているが、かかる個数に限定されず、２個
以上であれば良いが、３個のものが好ましい。
【０００８】
次に、本発明に係る竹刀・木刀用ケースの作用について説明する。
３本用の場合、中央の差込部4aに鍔を付けたままの木刀Ｂを差し込んだ後、その両側方
の差込部４、4cに鍔を外した竹刀Ｗ、Ｗを夫々差し込む際に、木刀Ｂの鍔Ｃで差込位置が
外側へずれるが、差込部４、4a…を形成する波形シート材５が変形するため、差込部４、
4c自体が外側にずれて竹刀Ｗ、Ｗが差し込み可能となる。
又、両側方の差込部４、4cに鍔を外した竹刀Ｗ、Ｗを夫々差し込んだ後、中央の差込部
4aに鍔を付けたままの木刀Ｂを差し込む際に、ケース１の幅が下端側へ序々に狭くなるこ
とから、竹刀Ｗ、Ｗの柄側の間隔が拡がった状態で収容され、且つ差込部４、4a…を形成
する波形シート材５が変形するため、木刀Ｂの鍔により竹刀Ｗ、Ｗを両側に押しやる様に
して差込可能となる。
尚、収容された木刀Ｂ及び竹刀Ｗ、Ｗと表面部材２間に隙間に、図３（ｂ）、図４、５
に示す様に、もう１本鍔を付けたままの木刀Ｂａを差し込んでも、ケース１自体が変形し
て収容可能となる。
【図面の簡単な説明】
【０００９】
【図１】本発明に係る竹刀・木刀用ケースの正面図である。
【図２】図１の側面図である。
【図３】３本と４本を収容した状態を示す縦断面図である。
【図４】４本を収容した状態を示す横断面図である。
【図５】図５のＸーＸ断面図である。
【符号の説明】
【００１０】
１        ケース
２、2a    表裏面部材
３        内貼シート
４、4a…  差込部
５        波形シート材
６        ファスナー
７        出入口部
Ｂ        竹刀
Ｗ        木刀
【図１】
2005143565.tif 000003
【図２】
2005143565.tif 000004
【図３】
2005143565.tif 000005
【図４】
2005143565.tif 000006
【図５】
2005143565.tif 000007